(57)【要約】【課題】本発明が解決しようとする課題は、預り金額に訂正があった場合、訂正前の会計処理結果と、訂正された再会計処理結果を、容易に確認することが可能な会計装置およびプログラムを提供することである。【解決手段】実施形態の会計装置は、取引における商品の販売に係る合計金額と入力された顧客からの第１預り金額とに基づいて、当該取引の会計処理を実行する会計処理部と、前記会計処理部による会計処理後に再入力された第２預り金額を受付ける預り金再入力部と、前記預り金再入力部が受け付けた前記第２預り金額と前記合計金額とに基づいて、前記取引の再会計処理を実行する再会計処理部と、前記第１預り金額と前記会計処理部が実行した会計処理結果と、前記第２預り金額と前記再会計処理部が実行した再会計処理結果と、を印字したレシートを発行するレシート発行部と、を備える。【選択図】図５
2019200482.tif 000002
【特許請求の範囲】
【請求項１】
取引における商品の販売に係る合計金額と入力された顧客からの第１預り金額とに基づいて、当該取引の会計処理を実行する会計処理部と、
前記会計処理部による会計処理後に再入力された第２預り金額を受付ける預り金再入力部と、
前記預り金再入力部が受け付けた前記第２預り金額と前記合計金額とに基づいて、前記取引の再会計処理を実行する再会計処理部と、
前記第１預り金額と前記会計処理部が実行した会計処理結果と、前記第２預り金額と前記再会計処理部が実行した再会計処理結果と、を印字したレシートを発行するレシート発行部と、
を備えた会計装置。
【請求項２】
前記会計処理部は、前記会計処理結果として、前記第１預り金額と前記合計金額とに基づいて算出された第１釣銭額を算出し、
前記再会計処理部は、前記再会計処理結果として、前記第２預り金額と前記合計金額とに基づいて算出された第２釣銭額を算出し、
前記レシート発行部は、前記第１預り金、前記第１釣銭額、前記第２預り金額、前記第２釣銭額を印字したレシートを発行する、
請求項１に記載の会計装置。
【請求項３】
前記会計処理部は、前記会計処理結果として、前記第１預り金額と前記合計金額とに基づいて算出された第１釣銭額を算出し、
前記再会計処理部は、前記再会計処理結果として、前記第２預り金額と前記合計金額とに基づいて算出された第２釣銭額を算出し、
前記レシート発行部は、前記第１預り金、前記第１釣銭額、前記第２預り金額、前記第２釣銭額に加え、前記第１釣銭額と前記第２釣銭額の差額を印字したレシートを発行する、
請求項１に記載の会計装置。
【請求項４】
前記レシート発行部は、前記第２釣銭額が前記第１釣銭額より多い場合に、前記差額および前記差額分の釣銭の払い出しを示すメッセージを付加して印字したレシートを発行し、前記第１釣銭額が前記第２釣銭額より多い場合に、前記差額および前記差額分の金銭の返却を求めるメッセージを付加して印字したレシートを発行する、
請求項３に記載の会計装置。
【請求項５】
前記レシート発行部は、前記第２預り金額および前記第２釣銭額が前記再会計処理に係る情報であることを示す印を付して印字する、
請求項２乃至４のいずれか一に記載の会計装置。
【請求項６】
会計装置としてのコンピュータを、
取引における商品の販売に係る合計金額と入力された顧客からの第１預り金額とに基づいて、当該取引の会計処理を実行する会計処理部と、
前記会計処理部による会計処理後に再入力された第２預り金額を受付ける預り金再入力部と、
前記預り金再入力部が受け付けた前記第２預り金額と前記合計金額とに基づいて、前記取引の再会計処理を実行する再会計処理部と、
前記第１預り金額と前記会計処理部が実行した会計処理結果と、前記第２預り金額と前記再会計処理部が実行した再会計処理結果と、を印字したレシートを発行するレシート発行部と、
して機能させるためのプログラム。
【発明の詳細な説明】
【技術分野】
【０００１】
本発明の実施形態は、会計装置およびプログラムに関する。
【背景技術】
【０００２】
従来、スーパーマーケットやコンビニエンスストア等の店舗で販売される商品の会計処理を実行する会計装置が存在する。会計装置は例えばＰＯＳ（Point  of  Sales）端末である。このような会計装置は、販売する商品の合計金額と顧客から預かった預り金に基づいて釣銭額を算出する。店舗の店員は、会計装置が算出した金額の釣銭を顧客に渡す。
【０００３】
しかしながら、顧客は、預り金を一度店員に渡し、その後、釣銭額をきりがいい額の硬貨や紙幣でもらいたい場合、店員にさらに金銭を渡す場合がある。例えば、顧客が１００６円の買い物をした場合、まず顧客は店員に１０１０円の金銭を渡す。顧客はその後、あと１円渡せば釣銭額が５円となり、５円硬貨を釣銭としてもらえることに気づき、さらに１円を店員に渡すことがある。
【０００４】
このような場合の対応として、先行技術文献である特開平８−１７１６７６号公報（特許文献１）に、後から渡された金銭の金額（預り金額）を再入力して、正しい釣銭額を算出するものが記載されている。
【０００５】
しかしながら、特許文献１に記載された発明では、店員および顧客は、後から更なる預り金が渡された場合（預り金に訂正があった場合）に、最初に渡された預り金による会計処理結果と、続いて渡された預り金による再会計処理結果を、容易に確認することができない。
【発明の概要】
【発明が解決しようとする課題】
【０００６】
本発明が解決しようとする課題は、預り金額に訂正があった場合、訂正前の会計処理結果と、訂正された再会計処理結果を、容易に確認することが可能な会計装置およびプログラムを提供することである。
【課題を解決するための手段】
【０００７】
実施形態の会計装置は、取引における商品の販売に係る合計金額と入力された顧客からの第１預り金額とに基づいて、当該取引の会計処理を実行する会計処理部と、前記会計処理部による会計処理後に再入力された第２預り金額を受付ける預り金再入力部と、前記預り金再入力部が受け付けた前記第２預り金額と前記合計金額とに基づいて、前記取引の再会計処理を実行する再会計処理部と、前記第１預り金額と前記会計処理部が実行した会計処理結果と、前記第２預り金額と前記再会計処理部が実行した再会計処理結果と、を印字したレシートを発行するレシート発行部と、を備える。
【図面の簡単な説明】
【０００８】
【図１】図１は、第１実施形態に係るＰＯＳ端末を示す斜視図である。
【図２】図２は、ＰＯＳ端末のハードウェア構成を示すブロック図である。
【図３】図３は、ＰＯＳ端末の機能構成を示す機能ブロック図である。
【図４】図４は、ＰＯＳ端末の制御処理の流れを示すフローチャートである。
【図５】図５は、ＰＯＳ端末の再会計処理の制御処理の流れを示すフローチャートである。
【図６】図６は、ＰＯＳ端末の店員用表示部の画面の一例を表す図である。
【図７】図７は、ＰＯＳ端末から発行されたレシートの一例を示す図である。
【図８】図８は、第２実施形態に係るＰＯＳ端末の再会計処理の制御処理の流れを示すフローチャートである。
【図９】図９は、第２実施形態に係るＰＯＳ端末の店員用表示部の画面の一例を表す図である。
【図１０】図１０は、第２実施形態に係るＰＯＳ端末から発行されたレシートの一例を示す図である。
【図１１】図１１は、第２実施形態に係るＰＯＳ端末の店員用表示部の画面の他の一例を表す図である。
【図１２】図１２は、第２実施形態に係るＰＯＳ端末から発行されたレシートの他の一例を示す図である。
【図１３】図１３は、第３実施形態に係るＰＯＳ端末の再会計処理の制御処理の流れを示すフローチャートである。
【発明を実施するための形態】
【０００９】
（第１実施形態）
以下、図面を参照して、第１実施形態について詳細に説明する。第１実施形態では、ＰＯＳ端末を会計装置の一例として説明する。なお、以下に説明する実施形態によりこの発明が限定されるものではない。
【００１０】
図１は、第１実施形態にかかるＰＯＳ端末１を、オペレータ側から見た斜視図である。ＰＯＳ端末１は、店舗で顧客に販売される商品の売上登録処理および会計処理を実行する。売上登録処理とは、販売される商品に付されたバーコード等のコードシンボルを光学的に読み取ることで、あるいは商品またはコードシンボルを撮像することで、商品を特定する商品コードを取得し、取得した商品コードに基づいて商品情報（商品名や商品の価格等）を表示するとともに、当該商品情報をＲＡＭ等に記憶する処理をいう。会計処理とは、売上登録処理に伴いＲＡＭ等に記憶された商品情報に基づいて、当該取引に係る合計金額の算出と表示、顧客から商品の購入代金として預かった預り金に基づいて、顧客に渡す釣銭額を計算して表示する処理、商品情報や会計情報（合計金額、預り金額、釣銭額等）を印字したレシートを発行する処理等をいう。
【００１１】
ＰＯＳ端末１は、本体２と金銭収納箱３とを有する。金銭収納箱３は、金銭を収納するドロワを有し、顧客から預かった紙幣や貨幣等の金銭、商品券等の有価証券類、および顧客に手渡す釣銭等を収納している。なお、金銭収納箱３の代わりに、顧客から預かった金銭（紙幣や硬貨）を投入すると、投入された金銭を自動的に金種別に選別して収納し、収納している金銭を、釣銭として支払う機能を備えた、自動釣銭機としてもよい。
【００１２】
本体２は、操作部２１、店員用表示部２２、客用表示部２３、印字部２４、カード読取部２５、コードリーダ３０を備えている。操作部２１は数字を入力する置数キー、売上登録の終了を宣言する小計キー、取引の終了を宣言する預／現計キー等の締めキー２１１や再会計を開始するための再会計キー２１２（いずれも図２を参照）を備えたキーボードである。店員用表示部２２は、液晶表示器等で構成され、操作者に情報を表示する。客用表示部２３は、液晶表示器等で構成され、顧客に情報を表示する。
【００１３】
印字部２４は、本体２内に収納されたロール状のレシート用紙を引き出して、例えば熱転写型の印字ヘッドを備えたサーマルプリンタ等で商品情報や会計情報等を印字し、レシートとして発行する。カード読取部２５は、顧客が提示したクレジットカード等のカードからカード情報を読み取る。
【００１４】
コードリーダ３０は、例えばハンディタイプのコードリーダである。コードリーダ３０は、発光した光がコードシンボルで反射した反射光を解析して、商品に付されたコードシンボルを読み取る。なお、コードリーダ３０は、コードシンボルが付された商品を撮像し、撮像画像からコードシンボルを読み取るようなものであってもよい。
【００１５】
続いて、ＰＯＳ端末１の構成について説明する。図２は、ＰＯＳ端末１のハードウェア構成を示すブロック図である。図２に示すように、ＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３にはプログラムや各種データが展開される。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するＰＯＳ端末１の制御処理を実行する。
【００１６】
ＲＡＭ１３は、商品情報部１３１、取引情報部１３２、預り金記憶部１３３を備えている。商品情報部１３１は、コードリーダ３０で読み取ったコードシンボルから取得した商品コードに基づいて売上登録処理された商品の商品情報（商品名、商品の価格、等）を記憶する。取引情報部１３２は、直前に取引した一または複数の取引（例えば５取引）について、取引された商品の商品情報や会計情報を、取引別に記憶する。また、取引情報部１３２は、記憶された取引別に、取引を特定する取引番号を対応付けて記憶している。そのため取引番号を入力することで、取引情報部１３２に記憶されている取引を特定することができる。預り金記憶部１３３は、入力された第２預り金を記憶する。
【００１７】
メモリ部１４は、電源を切っても記憶情報が保持されるＨＤＤ（Hard  Disc  Drive）やフラッシュメモリ等の不揮発性メモリで構成され、制御プログラムを記憶する制御プログラム部１４１を備える。
【００１８】
また、制御部１００は、バス１５およびコントローラ１６を介して、締めキー２１１や再会計キー２１２を含む操作部２１、店員用表示部２２、客用表示部２３、印字部２４、カード読取部２５、コードリーダ３０と接続している。コントローラ１６は、制御部１００からの指示を受けて、操作部２１、店員用表示部２２、客用表示部２３、印字部２４、カード読取部２５、コードリーダ３０を制御する。ここでは、説明の都合上、コントローラ１６が行う制御を制御部１００が行うとして説明する。
【００１９】
また、制御部１００は、バス１５を介して、通信部２６と接続している。通信部２６は、通信回線を介して、店内に設置された他のＰＯＳ端末１や店舗サーバ（図示せず）と電気的に接続している。店舗サーバは、店舗に設置されているすべてのＰＯＳ端末１と電気的に接続しており、各ＰＯＳ端末１から商品情報や決済情報を収集する。店舗サーバは、ＰＯＳ端末１から収集した商品情報や決済情報を、本部に設置された本部サーバ（図示せず）に送信する。
【００２０】
続いて、ＰＯＳ端末１の機能構成について説明する。図３は、ＰＯＳ端末１の機能構成を示す機能ブロック図である。図３に示すように、ＰＯＳ端末１の制御部１００は、会計処理部１０１、取引指定部１０２、預り金再入力部１０３、再会計処理部１０４、レシート発行部１０５として機能する。
【００２１】
会計処理部１０１は、取引された商品の合計金額と、例えば操作部２１から入力された顧客からの第１預り金額とに基づいて、当該取引の会計処理を実行する。すなわち、会計処理部１０１は、商品情報に基づいて当該取引において購入された商品の合計金額を算出し、当該合計金額と入力された第１預り金に基づいて、会計処理結果である第１釣銭額を算出する。また、会計処理部１０１は、当該取引に係る商品情報、会計情報（合計金額、第１預り金額、第１釣銭額等）を印字したレシートを発行する。また、会計処理部１０１は、会計処理された取引に係る商品の商品情報と会計情報を、当該取引を特定する取引番号に対応付けて、取引情報部１３２に記憶する。
【００２２】
取引指定部１０２は、取引情報部１３２に記憶されている取引から、入力された取引番号に基づいて、当該取引番号に対応付けられた一つの取引を特定する。
【００２３】
預り金再入力部１０３は、会計処理部１０１が会計処理を実行して取引が終了した後に、第２預り金額が入力されたかを判断する。預り金再入力部１０３は、入力された第２預り金額を受付ける。すなわち、預り金再入力部１０３は、受付けた第２預り金額を、預り金記憶部１３３に記憶する。
【００２４】
再会計処理部１０４は、取引指定部１０２が指定した取引に含まれる商品の合計金額と預り金再入力部１０３が受け付けた第２預り金額に基づいて、再会計処理を実行する。再会計処理とは、取引指定部１０２が指定した取引に含まれる商品の合計金額と預り金再入力部１０３が受け付けた第２預り金額に基づいて、当該取引に係る第２釣銭額（再会計処理結果）を算出する処理を含む。
【００２５】
レシート発行部１０５は、第１預り金額と会計処理部１０１が実行した会計処理結果（第１釣銭額）と、第２預り金額と再会計処理部１０４が実行した再会計処理結果（第２釣銭額）と、を印字したレシートを発行する。
【００２６】
ここからは、ＰＯＳ端末１の制御について説明する。図４は、ＰＯＳ端末の制御処理の流れを示すフローチャートである。図４に示すように、ＰＯＳ端末１の制御部１００は、コードリーダ３０が読み取ったコードシンボルが入力されたかを判断する（Ｓ１１）。コードリーダ３０からコードシンボルが入力されたと判断した場合には（Ｓ１１のＹｅｓ）、制御部１００は、入力されたコードシンボルを解析して取得した商品を特定する商品コードに基づいて、当該商品に係る売上登録処理を実行する（Ｓ１２）。そして制御部１００は、Ｓ１１に戻る。
【００２７】
また、コードシンボルの入力ではないと判断した場合には（Ｓ１１のＮｏ）、制御部１００は、締めキー２１１が操作されたかを判断する（Ｓ２１）。締めキー２１１が操作されたと判断した場合には（Ｓ２１のＹｅｓ）、会計処理部１０１は、商品情報部１３１に記憶されている商品情報に基づいて、当該取引に係る会計処理を実行する。すなわち、会計処理部１０１は、当該取引に係る合計金額を算出する（Ｓ２２）。また、会計処理部１０１は、算出した合計金額を店員用表示部２２と客用表示部２３に表示する（Ｓ２２）。
【００２８】
次に会計処理部１０１は、第１預り金が入力されたかを判断する（Ｓ２３）。顧客は、合計金額を見て、合計金額以上の金銭を店員に手渡す。店員は、顧客から預かった金銭の金額を、第１預り金額として入力する。店員は、操作部２１を操作して、第１預り金額を入力する。第１預り金が入力されたと判断するまで待機し（Ｓ２３のＮｏ）、第１預り金額が入力されたと判断した場合には（Ｓ２３のＹｅｓ）、会計処理部１０１は、Ｓ２２で算出した合計金額とＳ２３で入力されたと判断した第１預り金額とに基づいて、当該取引に係る第１釣銭額を算出する（Ｓ２４）。そして会計処理部１０１は、店員用表示部２２と客用表示部２３に、算出した釣銭額を表示する（Ｓ２５）。
【００２９】
次に会計処理部１０１は、印字部２４を駆動して、当該取引に係る商品情報と会計情報（合計金額、第１預り金額、第１釣銭額）を印字したレシートを発行する（Ｓ２６）。そして会計処理部１０１は、当該取引に係る商品情報と会計情報を、当該取引を特定する取引番号に対応付けて、取引情報部１３２に記憶する（Ｓ２７）。そして制御部１００は、Ｓ１１に戻る。
【００３０】
また、Ｓ２１において、締めキー２１１の操作ではないと判断した場合には（Ｓ２１のＮｏ）、制御部１００は、再会計キー２１２が操作されたかを判断する（Ｓ３１）。再会計キー２１２が操作されたと判断した場合には（Ｓ３１のＹｅｓ）、制御部１００は、再会計処理を実行する（Ｓ３２）。そして制御部１００は、Ｓ１１に戻る。また、再会計キー２１２の操作ではないと判断した場合には（Ｓ３１のＮｏ）、制御部１００は、Ｓ１１に戻る。
【００３１】
ここで、Ｓ３２で処理する再会計処理について説明する。再会計処理に際し、店員は、すでに釣銭として渡した第１釣銭額の金銭を顧客から返却してもらう。また、店員は、顧客から、すでに渡したレシートを返却してもらう。図５は、ＰＯＳ端末１の再会計処理の制御処理の流れを示すフローチャートである。図５に示すように、取引指定部１０２は、対象取引を選定する（Ｓ４１）。店員は、例えばレシートに記載されている取引番号を操作部２１を操作して入力すると、取引指定部１０２は、取引情報部１３２に記憶されている取引から、入力された取引番号に対応付けられている取引情報を選定して読み出す。次に預り金再入力部１０３は、第２預り金額が入力されたかを判断する（Ｓ４２）。第２預り金額が入力されたかを判断するまで待機し（Ｓ４２のＮｏ）、預り金再入力部１０３が第２預り金額が入力されたと判断した場合には（Ｓ４２のＹｅｓ）、預り金再入力部１０３は、受付けた第２預り金額を、預り金記憶部１３３に記憶する（受け付ける）（Ｓ４３）。
【００３２】
次に再会計処理部１０４は、Ｓ２２で算出された合計金額と、Ｓ４３で記憶した第２預り金額とに基づいて、第２釣銭額を算出する（Ｓ４４）。そして制御部１００は、Ｓ４１で選定した取引に記憶されている商品情報、第１預り金、第１釣銭額と、第２預り金、第２釣銭額を含む情報を、店員用表示部２２と客用表示部２３に表示する（Ｓ４５）。そして、レシート発行部１０５は、印字部２４を駆動して、第１預り金、第１釣銭額、第２預り金、第２釣銭額を含む情報を印字したレシートを発行する（Ｓ４６）。
【００３３】
ここで、Ｓ４５で店員用表示部２２に表示した表示例について説明する。図６は、ＰＯＳ端末１の店員用表示部２２の画面の一例を表す図である。図６に示すように、制御部１００は、店員用表示部２２の第１エリア２２１に、商品情報２２ａ、第１預り金額２２ｂ、第１釣銭額２２ｃの情報を表示する。第１エリア２２１に表示される情報は、会計処理において入力された情報および算出された情報である。
また、制御部１００は、店員用表示部２２の第２エリア２２２に、第２預り金額２２ｄと第２釣銭額２２ｅを表示する。第２エリア２２２に表示される情報は、再会計処理において入力された情報および算出された情報である。また、制御部１００は、第２預り金額２２ｄと第２釣銭額２２ｅの表示にそれぞれ関連付けて、「訂正」の文字を表示する。店員および顧客は、表示された「訂正」の文字によって、第２預り金額２２ｄと第２釣銭額２２ｅが第１預り金額２２ｂと第１釣銭額２２ｃから訂正された金額であることを認識する。また、店員は、再会計後に顧客に渡す釣銭の額は、第２釣銭額２２ｅとして表示された額であることを認識する。そして、店員は、第２釣銭額２２ｅとして表示された額の釣銭を顧客に渡す。なお、第２エリア２２２全体を第１エリア２２１より目立つ色で表示することが望ましい。
【００３４】
次に、Ｓ４８で印字して発行したレシートの印字例について説明する。図７は、ＰＯＳ端末１から発行されたレシートＲの一例を示す図である。図７に示すように、レシート発行部１０５は、レシートＲの領域Ｒ２１に、会計処理した商品の商品情報Ｒ１、合計金額を示す「合計」の文字と合計金額Ｒ２、預り金を示す「お預り」の文字と第１預り金額Ｒ３、釣銭を示す「お釣り」の文字と第１釣銭額Ｒ４を印字する。なお、レシートＲの領域Ｒ２１は、会計処理において入力された情報および算出された情報である。
【００３５】
また、レシート発行部１０５は、「お釣り」の文字と第１釣銭額Ｒ４の後に、レシートＲの領域Ｒ２２に、「訂正」の文字Ｒ５を印字する。店員および顧客は、印字された「訂正」の文字Ｒ５によって、以降に印字される内容が訂正された内容であることを認識する。
【００３６】
また、レシート発行部１０５は、「訂正」の文字Ｒ５に続いて、レシートＲの領域Ｒ２２に、預り金を示す「お預り」の文字と第２預り金額Ｒ７を印字する。この際、レシート発行部１０５は、「お預り」の文字に関連付けて（例えば「お預り」の文字の先頭に）印である「＊」のマークＲ６を付して印字する。「＊」のマークＲ６が付された第２預り金額Ｒ７は、訂正された預り金額であることを示す。また、レシート発行部１０５は、「＊」のマークＲ６が付された第２預り金額Ｒ７に、印である下線を付して印字する。下線が付された第２預り金額Ｒ７は、訂正された預り金額であることを示す。
【００３７】
また、レシート発行部１０５は、第２預り金額Ｒ７に続いて、釣銭であることを示す「お釣」の文字と第２釣銭額Ｒ９を印字する。この際、レシート発行部１０５は、「お釣」の文字に関連付けて（例えば「お釣」の文字の先頭に）「＊」のマークＲ８を付して印字する。「＊」のマークＲ８が付された第２釣銭額Ｒ９は、訂正された釣銭額であることを示す。また、レシート発行部１０５は、「＊」のマークＲ８が付された第２釣銭額Ｒ９に下線を付して印字する。下線が付された第２釣銭額Ｒ９は、訂正された釣銭額であることを示す。なお、レシートＲの領域Ｒ２２は、再会計処理において入力された情報および算出された情報である。
【００３８】
このように、会計処理部１０１は、領域Ｒ２１に、会計処理において入力または算出された情報である、商品情報Ｒ１、合計金額Ｒ２、第１預り金額Ｒ３、第１釣銭額Ｒ４を印字する。また、レシート発行部１０５は、領域Ｒ２２に、訂正前の情報と訂正後の情報の境界としての「訂正」の文字Ｒ５を印字し、続いて「お預り」の文字と第２預り金額Ｒ７、「お釣」の文字と第２釣銭額Ｒ９を印字する。また、レシート発行部１０５は、「お預り」の文字に関連付けて「＊」のマークＲ６を印字し、「お釣」の文字に関連付けて「＊」のマークＲ８を印字する。さらに、第２預り金額Ｒ７および第２釣銭額Ｒ９に下線を付して印字する。そのため、店員および顧客は、訂正前の第１預り金額と第１釣銭額と、訂正後の第２預り金額と第２釣銭額を、「訂正」の文字を境界として区分けして、正しく認識することができる。
【００３９】
そのため、第１実施形態では、店員および顧客は、預り金額に訂正があった場合、訂正前の預り金額および釣銭額と、訂正された預り金額および釣銭額を、容易に確認することができる。
【００４０】
（第２実施形態）
ここからは、第２実施形態について説明する。第１実施形態では、再会計処理に際し、店員は、すでに釣銭として渡した第１釣銭額の金銭を顧客から返却してもらうこととしたが、第２実施形態では、店員は、すでに釣銭として渡した第１釣銭額の金銭を顧客から返却してもらわず、第１釣銭額と第２釣銭額の差額を授受するようにした。なお、店員は、顧客から、すでに渡したレシートを返却してもらう。
【００４１】
そのため、再会計処理部１０４は、第１釣銭額と算出した第２釣銭額に基づいて、第１釣銭額と第２釣銭額の差額を算出する。また、レシート発行部１０５は、さらに再会計処理部１０４が算出した釣銭額の差額を印字したレシートを発行する。また、レシート発行部１０５は、差額を顧客に渡す場合には、差額分の釣銭の払い出しを示す情報を印字し、差額を顧客から返金してもらう場合には、差額分の返金を求める情報を合わせて印字する。
【００４２】
図８は、第２実施形態に係るＰＯＳ端末１の再会計処理（Ｓ３２における再会計処理）の制御処理の流れを示すフローチャートである。なお、図８において、図５と同一制御については同一符号を付し、説明を省略する。
【００４３】
図８に示すように、Ｓ４４において、再会計処理部１０４は、Ｓ２２で算出された合計金額と、Ｓ４３で記憶した第２預り金額とに基づいて、第２釣銭額を算出する（Ｓ４４）。続いて再会計処理部１０４は、第１釣銭額と第２釣銭額と差額を算出する（Ｓ５１）。
【００４４】
次に制御部１００は、算出した差額の金銭が、顧客に渡す金銭であるか、顧客から返金してもらう金銭であるかを判断する（Ｓ５２）。第２釣銭額が第１釣銭額より多い場合、制御部１００は、差額分の金銭は、釣銭として顧客に渡すものであると判断する。第１釣銭額が第２釣銭額より多い場合、制御部１００は、差額分の金銭は、顧客から返金してもらうものであると判断する。
【００４５】
算出した差額の金銭が、顧客に渡す金銭であると判断した場合には（Ｓ５２のＮｏ）、制御部１００は、Ｓ４５での表示内容に加えて、顧客に釣銭として渡す差額と、当該差額分の金銭を顧客に渡すことを示すメッセージを表示する（Ｓ５３）。そしてレシート発行部１０５は、印字部２４を駆動して、Ｓ４６の印字内容に加えて、顧客に釣銭として渡す差額と、当該金銭を顧客に渡すことを示すメッセージを印字したレシートを発行する（Ｓ５４）。そして制御部１００は、Ｓ１１に戻る。
【００４６】
ここで、Ｓ５３で店員用表示部２２に表示した表示例について説明する。図９は、Ｓ５３において、ＰＯＳ端末１の店員用表示部２２の画面の一例を表す図である。図９において、図６と同一内容の表示は同一の符号を付し、説明を省略する。図９に示すように、制御部１００は、第２エリア２２２に、顧客に渡す差額の金額と当該差額分の金銭を顧客に渡すことを示すメッセージ２２ｆを表示する。表示されるメッセージは、例えば「お釣を  １円  渡してください」である。
【００４７】
店員および顧客は、表示された「訂正」の文字によって、第２預り金額２２ｄと第２釣銭額２２ｅが第１預り金額２２ｂと第１釣銭額２２ｃから訂正された金額であることを認識する。また、店員は、顧客にさらに渡す釣銭の額は、第２釣銭額２２ｆとして表示された金額であることを認識する。また、店員は、表示された差額の金額とメッセージ２２ｆによって、差額分の金銭を顧客に渡すことを認識する。
【００４８】
次に、Ｓ５４で印字して発行したレシートの印字例について説明する。図１０は、Ｓ５４において、ＰＯＳ端末１から発行されたレシートＲの一例を示す図である。図１０において、図７と同一内容の表示は同一の符号を付し、説明を省略する。図１０に示すように、レシート発行部１０５は、レシートＲの領域Ｒ２２に、顧客に渡す差額の金額Ｒ１１と当該差額分の金銭を顧客に渡すことを示すメッセージＲ１０を印字する。印字されるメッセージは例えば「お釣お渡し額」である。
【００４９】
そのため、店員および顧客は、預り金額に訂正があった場合、訂正前の預り金額および釣銭額と、訂正された預り金額および釣銭額を、容易に確認することができる。また、店員は、印字された差額の金額Ｒ１１とメッセージＲ１０によって、訂正後に顧客に渡した差額分の金銭と、当該金銭を顧客に渡すことを確認することができる。
【００５０】
図８の説明に戻る。また、算出した差額の金銭が、顧客から返却してもらう金銭であると判断した場合には（Ｓ５２のＹｅｓ）、次に制御部１００は、返却される金額以上の金銭の入力があったかを判断する（Ｓ６１）。返却される金額以上の金銭の入力があったと判断するまで待機し（Ｓ６１のＮｏ）、返却される金額以上の金銭の入力があったと判断した場合には（Ｓ６１のＹｅｓ）、制御部１００は、Ｓ６１における入力金額に対して釣銭が発生するかを判断する（Ｓ６２）。制御部１００は、Ｓ６１での入力金額が、Ｓ５１で算出した差額より多い場合には、釣銭が発生すると判断する。また、制御部１００は、Ｓ６１での入力金額が、Ｓ５１で算出した差額と等しい場合には、釣銭は発生しないと判断する。
【００５１】
釣銭が発生すると判断した場合には（Ｓ６２のＹｅｓ）、次に制御部１００は、Ｓ４５での表示内容に加えて、顧客から返金してもらう差額の金額と、当該差額分の金銭を顧客から返金してもらうことを示すメッセージを表示する（Ｓ６３）。また、制御部１００は、Ｓ６１で入金された金額と顧客に支払う釣銭額を表示する（Ｓ６３）。
【００５２】
次にレシート発行部１０５は、印字部２４を駆動して、Ｓ４６での印字内容に加えて、顧客から返金してもらう差額の金額と、当該差額分の金銭を顧客から返金してもらうことを示すメッセージを印字したレシートを発行する（Ｓ６４）。また、レシート発行部１０５は、当該レシートにおいて、Ｓ６１で入金された金額と顧客に支払う釣銭額を印字する（Ｓ６４）。
【００５３】
ここで、Ｓ６３で店員用表示部２２に表示した表示例について説明する。図１１は、Ｓ６３において、ＰＯＳ端末１の店員用表示部２２の画面の一例を表す図である。図１１において、図６、図９と同一内容の表示は同一の符号を付し、説明を省略する。図１１に示すように、制御部１００は、第２エリア２２２に、顧客から返金してもらう差額の金額と当該差額分の金銭を顧客から返金してもらうことを示すメッセージ２２ｇを表示する。表示されるメッセージは、例えば「お釣を  ９０円  いただいてください」である。また、制御部１００は、Ｓ６１で入力された預り金額２２ｈと、第２釣銭額２２ｊを表示する。
【００５４】
店員および顧客は、表示された「訂正」の文字によって、第２預り金額２２ｄと第２釣銭額２２ｅが第１預り金額２２ｂと第１釣銭額２２ｃから訂正された金額であることを認識する。また、店員は、この取引において顧客に渡す釣銭の額は、第２釣銭額２２ｅとして表示された額であることを認識する。また、店員は、表示された差額の金額とメッセージ２２ｇによって、差額分の金銭が顧客から返金されること、および返金される金額を認識する。さらに店員は、返金額に対して顧客から預かり金２２ｈを認識し、さらに、預かり金２２ｈに対する釣銭額２２ｊとして表示された額の釣銭を顧客に渡す。
【００５５】
次に、Ｓ６４で印字して発行したレシートの印字例について説明する。図１２は、Ｓ６４において、ＰＯＳ端末１から発行されたレシートＲの一例を示す図である。図１２において、図７、図１０と同一内容の表示は同一の符号を付し、説明を省略する。図１２に示すように、レシート発行部１０５は、レシートＲの領域Ｒ２２に、顧客から返金される差額の金額Ｒ１５と当該差額分の金銭が顧客から返却されることを示すメッセージＲ１６を印字する。印字されるメッセージは例えば「お釣ご返金依頼額」である。
【００５６】
また、メッセージＲ１６に続いて、レシート発行部１０５は、返金要求に対して顧客から再度預り金があったことを示す文字Ｒ１２（例えば、「お釣再会計」の文字）を印字する。また、レシート発行部１０５は、文字Ｒ１２に続いて、Ｓ６１で入力された金額（すなわち、返金要求に対して顧客が支払った金額）Ｒ１３と、金額Ｒ１３に対して顧客に渡される釣銭額Ｒ１４を印字する。
【００５７】
そのため、第２実施形態では、店員および顧客は、預り金額に訂正があった場合、訂正前の第１預り金額および第１釣銭額と、訂正された第２預り金額および第２釣銭額を、容易に確認することができる。また、店員および顧客は、印字された差額の金額Ｒ１５とメッセージＲ１６によって、顧客から返金される金銭の額と、当該金銭を顧客から返金されることを確認することができる。また、店員および顧客は、返金要求に対して顧客から預かった預り金額Ｒ１３と、預り金額に対する釣銭額Ｒ１４を確認することができる。
【００５８】
図８の説明に戻る。Ｓ６２において、釣銭が発生しないと判断した場合には（Ｓ６２のＮｏ）、制御部１００は、Ｓ４５での表示内容に加えて、顧客に返却してもらう差額の金額と、当該差額分の金銭を顧客に返金してもらうことを示すメッセージ２２ｇを表示する（Ｓ６５）。また、制御部１００は、Ｓ６１で入金された金額２２ｈと顧客に支払う釣銭額２２ｊ（０円）を表示する（Ｓ６５）。
【００５９】
次にレシート発行部１０５は、印字部２４を駆動して、Ｓ４６での印字内容に加えて、顧客から返金してもらう差額の金額Ｒ１５と、当該差額分の金銭を顧客から返却してもらうことを示すメッセージＲ１６を印字したレシートを発行する（Ｓ６６）。また、レシート発行部１０５は、当該レシートにおいて、文字Ｒ１２と、Ｓ６１で入金された預り金額Ｒ１３と預り金額に対する釣銭額Ｒ１４（０円）を印字する（Ｓ６６）。そして制御部１００は、Ｓ１１に戻る。Ｓ６５における表示は図１１とほぼ同等である。ただし、第２釣銭額２２ｊは０円と表示される。また、Ｓ６６におけるレシート印字は図１０とほぼ同等である。ただし、釣銭額Ｒ１４は０円と印字される。
【００６０】
（第３実施形態）
ここからは、第３実施形態について説明する。第１実施形態では金銭収納箱３を備え、
顧客から返却された第１釣銭を店員が金銭収納箱３を開けて収納するようにした。第３実施形態では、金銭収納箱３に代えて上述の自動釣銭機（図示せず）を備える。自動釣銭機は、顧客からの預り金を投入すると、自動釣銭機は、投入された金銭を金種別に選別して収納する。また、自動釣銭機は、顧客に渡す釣銭分の金銭を払い出す。再会計処理に際し、店員は、すでに釣銭として渡した第１釣銭額の金銭を顧客から返金してもらい、自動釣銭機に投入する。自動釣銭機は、投入された金銭の金額をＰＯＳ端末１に送信する。また、店員は、顧客から、すでに渡したレシートを返却してもらう。
【００６１】
図１３は、第３実施形態に係るＰＯＳ端末１のＳ３２における再会計処理の制御処理の流れを示すフローチャートである。なお、図１３において、図５、図８と同一制御については同一符号を付し、説明を省略する。図１３に示すように、Ｓ４１で取引情報を選定したら、制御部１００は、自動釣銭機から、自動釣銭機に投入された金額（すなわち、顧客から返金された金銭の金額）の情報を受信したかを判断する（Ｓ７１）。自動釣銭機に投入された金額の情報を受信するまで待機し（Ｓ７１のＮｏ）、自動釣銭機に投入された金額の情報を受信したと判断した場合には（Ｓ７１のＹｅｓ）、制御部１００は、Ｓ４１で選定した取引情報に基づいて、受信した金額がＳ２４で算出した第１釣銭額と一致するかを判断する（Ｓ７２）。一致しない（受信した金額が不足している）場合は、金額が一致するまで待機する（Ｓ７２のＮｏ）。金額が一致しない場合、更なる金銭の投入をするために、店員は顧客から金銭を受け取る。
【００６２】
金銭が一致したと判断した場合には（Ｓ７２のＹｅｓ）、制御部１００はＳ４２以降の処理を実行する。なお、図１３におけるＳ４４の表示処理の表示例は、図６と同じである。また、図１３におけるＳ４５の再印字処理の印字例は、図７と同じである。
【００６３】
このように、会計処理部１０１は、領域Ｒ２１に、会計処理において入力または算出された情報である、商品情報Ｒ１、合計金額Ｒ２、第１預り金額Ｒ３、第１釣銭額Ｒ４を印字する。また、レシート発行部１０５は、領域Ｒ２２に、訂正前の情報と訂正後の情報の境界としての「訂正」の文字Ｒ５を印字し、「お預り」の文字と第２預り金額Ｒ７、「お釣」の文字と第２釣銭額Ｒ９を印字する。また、レシート発行部１０５は、「お預り」の文字に関連付けて印である「＊」のマークＲ６を印字し、「お釣」の文字に関連付けて「＊」のマークＲ８を印字する。さらに、第２預り金額Ｒ７および第２釣銭額Ｒ９に印である下線を付して印字する。そのため、店員および顧客は、訂正前の第１預り金額と第１釣銭額と、訂正後の第２預り金額と第２釣銭額を、「訂正」の文字を境界として区分けして、正しく認識することができる。
【００６４】
そのため、第３実施形態では、店員および顧客は、預り金額に訂正があった場合、訂正前の預り金額および釣銭額と、訂正された預り金額および釣銭額を、容易に確認することができる。また、Ｓ２２で算出した釣銭額と自動釣銭機への投入金額が一致している場合にＳ４３の処理を実行可能としたため、顧客に渡した第１釣銭額が正しく返金された場合に、再会計処理を実行可能である。
【００６５】
以上、説明したように、第１実施形態、第２実施形態、第３実施形態では、預り金再入力部１０３が会計処理部１０１による会計処理後に再入力された第２預り金額を受付け、再会計処理部１０４が金再入力部１０３が受け付けた第２預り金額と合計金額とに基づいて、取引の再会計処理を実行し、レシート発行部１０５が第１預り金額と会計処理部が実行した会計処理結果と、第２預り金額と前記再会計処理部が実行した再会計処理結果と、を印字したレシートを発行するようにした。そのため、預り金額に訂正があった場合、訂正前の会計処理結果と、訂正された会計処理結果を、容易に確認することが可能となる。
【００６６】
また、会計処理部１０１が第１預り金額と合計金額とに基づいて算出された第１釣銭額を算出し、再会計処理部１０４は、第２預り金額と合計金額とに基づいて算出された第２釣銭額を算出し、レシート発行部１０５は、第１釣銭額と第２釣銭額を印字したレシートを発行するようにした。そのため、預り金額に訂正があった場合、訂正前の預り金額および釣銭額と、訂正された預り金額および釣銭額を、容易に確認することが可能となる。
【００６７】
また、会計処理部１０１が第１預り金額と合計金額とに基づいて算出された第１釣銭額を算出し、再会計処理部１０４は、第２預り金額と合計金額とに基づいて算出された第２釣銭額を算出し、レシート発行部１０５は、第１釣銭額と第２釣銭額の差額を印字したレシートを発行するようにした。そのため、預り金額に訂正があった場合、訂正前の釣銭額と訂正された釣銭額の差額を、容易に確認することが可能となる。
【００６８】
以上、本発明の実施形態を説明したが、これらの実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００６９】
例えば、実施形態では、ＰＯＳ端末１を会計装置の一例として説明した。しかしながらこれに限らず、会計装置は、例えば、二人制ＰＯＳシステムにおける、金銭の授受を行う会計装置、セミセルフＰＯＳシステムやセルフＰＯＳにおける会計装置等であってもよい。
【００７０】
なお、実施形態のＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００７１】
また、実施形態のＰＯＳ端末１で実行されるプログラムを、インターネット等のネットワークに接続されたコンピュータ上に格納し、ネットワーク経由でダウンロードさせることにより提供するように構成しても良い。また、実施形態のＰＯＳ端末１で実行されるプログラムをインターネット等のネットワーク経由で提供または配布するように構成しても良い。
また、実施形態のＰＯＳ端末１で実行されるプログラムを、ＲＯＭ等に予め組み込んで提供するように構成してもよい。
【符号の説明】
【００７２】
１          ＰＯＳ端末
１００      制御部
１０１      会計処理部
１０２      取引指定部
１０３      預り金再入力部
１０４      再会計処理部
１０５      レシート発行部
１３２      取引情報部
２１２      再会計キー
【先行技術文献】
【特許文献】
【００７３】
【特許文献１】特開平８−１７１６７６号公報
【図１】
2019200482.tif 000003
【図２】
2019200482.tif 000004
【図３】
2019200482.tif 000005
【図４】
2019200482.tif 000006
【図５】
2019200482.tif 000007
【図６】
2019200482.tif 000008
【図７】
2019200482.tif 000009
【図８】
2019200482.tif 000010
【図９】
2019200482.tif 000011
【図１０】
2019200482.tif 000012
【図１１】
2019200482.tif 000013
【図１２】
2019200482.tif 000014
【図１３】
2019200482.tif 000015